【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
外部の情報処理端末との間で無線通信を実行することにより非接触で通信を行う非接触タグと、
前記非接触タグで通信される製品の保証に関する情報が書き込み及び読み取りされるメモリーと、
有することを特徴とする電子機器。
【請求項２】
前記電子機器は、梱包材に収納され、
前記非接触タグは、アンテナを有し、
前記梱包材は、収納された前記電子機器の前記非接触タグの前記アンテナの位置と対応する前記梱包材の位置に、視認されるマークを有する請求項１に記載の電子機器。
【請求項３】
前記メモリーに書き込まれる前記製品の保証に関する情報の書き換えを、パスワードによって保護する請求項１又は２に記載の電子機器。
【請求項４】
前記メモリーに書き込まれる前記製品の保証に関する情報に基づいて、製品の保証に関する情報を報知する制御部を有する請求項１乃至３のいずれか１項に記載の電子機器。
【請求項５】
前記メモリーに書き込まれる前記製品の保証に関する情報は、保証期間に関する情報を含み、
前記制御部は、前記保証期間に関する情報に基づいて、前記保証期間の終了が近づき、また、前記保証期間が終了したことを報知する請求項４に記載の電子機器。
【請求項６】
前記非接触タグは、前記情報処理端末との間で、ＮＦＣの規格に準拠した近距離無線通信可能に構成される請求項１乃至５のいずれか１項に記載の電子機器。
【請求項７】
非接触で通信を行う非接触タグ及び前記非接触タグで通信される製品の保証に関する情報が書き込み及び読み取りされるメモリーを有する電子機器と、
前記電子機器の前記非接触タグと通信を行い、前記電子機器の前記メモリーへの前記製品の保証に関する情報の書き込み及び読み取りを行う情報処理端末と、
前記情報処理端末と通信回線を介して接続されるサーバー装置と、を備え、
前記情報処理端末は、前記非接触タグとの通信により取得した前記製品の保証に関する情報を前記サーバー装置へ送信し、
前記サーバー装置は、前記情報処理端末から受信した前記製品の保証に関する情報を記憶することを特徴とする情報管理システム。
【手続補正２】
【補正対象書類名】明細書
【補正対象項目名】０００５
【補正方法】変更
【補正の内容】
【０００５】
上記目的を達成するために、本発明は、外部の情報処理端末との間で無線通信を実行することにより非接触で通信を行う非接触タグと、前記非接触タグで通信される製品の保証に関する情報が書き込み及び読み取りされるメモリーと、有することを特徴とする。
この構成によれば、非接触タグに従来の紙タイプの保証書に記録されていた情報と同様の情報を記録することにより、非接触タグを、保証書として機能させることができる。この場合、情報処理端末によって、梱包材の外部から非接触タグに保証に関する情報を書き込むことができるため、保証書を取り出すために電子機器が収納された梱包材の開封を開ける必要がなくなると共に、従来のように紙タイプの保証書に必要な情報を記入する場合と比較し、保証に関する情報を効率よく処理できる。
【手続補正３】
【補正対象書類名】明細書
【補正対象項目名】０００６
【補正方法】変更
【補正の内容】
【０００６】
また、本発明は、前記電子機器は、梱包材に収納され、前記非接触タグは、アンテナを有し、前記梱包材は、収納された前記電子機器の前記非接触タグの前記アンテナの位置と対応する前記梱包材の位置に、視認されるマークを有する。
この構成によれば、梱包材の外部からスムーズに情報処理端末を、非接触タグに近接させ、情報処理端末と、非接触タグとの間で無線通信を行わせることができる。
【手続補正４】
【補正対象書類名】明細書
【補正対象項目名】０００７
【補正方法】変更
【補正の内容】
【０００７】
また、本発明は、上記発明の電子機器であって、前記メモリーに書き込まれる前記製品の保証に関する情報の書き換えを、パスワードによって保護する。
この構成によれば、非接触タグに書き込まれた製品の保証に関する情報が不正に書き換えられることを防止でき、非接触タグに保証に関する情報を書き込むことにより、非接触タグを保証書として機能させた場合、当該情報の内容の信頼性を担保できる。
【手続補正５】
【補正対象書類名】明細書
【補正対象項目名】０００８
【補正方法】変更
【補正の内容】
【０００８】
また、本発明は、上記発明の電子機器であって、前記メモリーに書き込まれる前記製品の保証に関する情報に基づいて、製品の保証に関する情報を報知する制御部を有する。
この構成によれば、製品の保証に関する情報を報知可能であるため、ユーザーは、必要に応じて、非接触タグに書き込まれた当該情報を認識でき、ユーザーの利便性が向上する。
【手続補正６】
【補正対象書類名】明細書
【補正対象項目名】０００９
【補正方法】変更
【補正の内容】
【０００９】
また、本発明は、上記発明の電子機器であって、前記メモリーに書き込まれる前記製品の保証に関する情報は、保証期間に関する情報を含み、前記制御部は、前記保証期間に関する情報に基づいて、前記保証期間の終了が近づき、また、前記保証期間が終了したことを報知する。
この構成によれば、自動で、保証期間の終了が近づき、また、保証期間が終了したことが報知されるため、ユーザーは、保証期間の終了が近づき、また、保証期間が終了したことを確実に認識でき、ユーザーの利便性が向上する。
【手続補正７】
【補正対象書類名】明細書
【補正対象項目名】００１０
【補正方法】変更
【補正の内容】
【００１０】
また、本発明は、上記発明の電子機器であって、前記非接触タグは、前記情報処理端末との間で、ＮＦＣの規格に準拠した近距離無線通信可能に構成される。
ここで、ＮＦＣは、国際標準機関に次世代の標準規格として承認された近距離無線通信規格であると共に、既に広く普及している他の近距離無線通信規格と広く互換性を持っている、という特徴を有しており、今後、ＮＦＣの規格に準拠した近距離無線通信を行う機器が広く普及していくと考えられる。
これを踏まえ、上記構成によれば、非接触タグとして、ＮＦＣの規格に準拠した近距離無線通信可能な構成とすることにより、現在においても、さらに、将来においても、高い利用性、利便性を持って、非接触タグを利用した保証に関する情報の処理を実行できる。
【手続補正８】
【補正対象書類名】明細書
【補正対象項目名】００１１
【補正方法】変更
【補正の内容】
【００１１】
また、上記目的を達成するために、本発明は、情報管理システムであって、非接触で通信を行う非接触タグ及び前記非接触タグで通信される製品の保証に関する情報が書き込み及び読み取りされるメモリーを有する電子機器と、前記電子機器の前記非接触タグと通信を行い、前記電子機器の前記メモリーへの前記製品の保証に関する情報の書き込み及び読み取りを行う情報処理端末と、前記情報処理端末と通信回線を介して接続されるサーバー装置と、を備え、前記情報処理端末は、前記非接触タグとの通信により取得した前記製品の保証に関する情報を前記サーバー装置へ送信し、前記サーバー装置は、前記情報処理端末から受信した前記製品の保証に関する情報を記憶すること、を特徴とする。
この構成によれば、非接触タグに従来の紙タイプの保証書に記録されていた情報と同様の情報を記録することにより、非接触タグを、保証書として機能させることができる。この場合、情報処理端末によって、梱包材の外部から非接触タグに保証に関する情報を書き込むことができるため、保証書を取り出すために電子機器が収納された梱包材の開封を開ける必要がなくなると共に、従来のように紙タイプの保証書に必要な情報を記入する場合と比較し、保証に関する情報を効率よく処理できる。
さらに、外部の情報処理端末から製品の保証に関する情報がサーバー装置へ送信され、サーバー装置は当該情報を記憶するため、サーバー装置において、個々の電子機器について、統括的に、製品の保証に関する情報を管理できる。